(57)【要約】【課題】家庭内ネットワークを、コストを抑えて容易に構築することができるようにする。【解決手段】近距離無線通信インターフェース２３は、無線ネットワークを構成する他の電子機器との近距離無線通信を行う。非接触ＩＣデバイス２１は、同様の非接触ＩＣデバイスが備えられている他の電子機器との間において、互いの非接触ＩＣデバイスが近づけられたとき、相互認証処理を行う。各電子機器には、固有のＩＤおよびアクセスするＵＲＬなどのプロファイル情報が記録されている。相互認証処理は、非接触ＩＣデバイスを介して、相互の電子機器に固有のプロファイル情報を交換、記録することにより行われ、相互認証処理を行うことにより、近距離無線通信インターフェース２３を介して通信が可能となる。【選択図】図５
2006216025.tif 000002
【特許請求の範囲】
【請求項１】
第１の機器から、第２の機器の識別情報と前記第２の機器にアクセスするための情報とを含むプロファイル情報を受信する受信手段と、
前記第１の機器から受信したプロファイル情報を記憶する記憶手段と、
前記記憶手段に記憶されたプロファイル情報を読み出して、前記第２の機器と通信を行い、前記第２の機器を制御する制御手段と
を備えることを特徴とする電子機器。
【請求項２】
第１の機器から、第２の機器の識別情報と前記第２の機器にアクセスするための情報とを含むプロファイル情報を受信し、
前記第１の機器から受信したプロファイル情報を記憶させ、
記憶されたプロファイル情報を読み出して、前記第２の機器と通信を行い、前記第２の機器を制御する
ステップを含むことを特徴とする動作制御方法。
【請求項３】
第１の機器から、前記第１の機器の識別情報と前記第１の機器にアクセスするための情報とを含むプロファイル情報を受信する受信手段と、
前記第１の機器から受信したプロファイル情報を記憶する記憶手段と、
前記記憶手段から前記プロファイル情報を読み出して、第２の機器に送信する送信手段と
を備えることを特徴とする電子機器。
【請求項４】
第１の機器から、前記第１の機器の識別情報と前記第１の機器にアクセスするための情報とを含むプロファイル情報を受信し、
前記第１の機器から受信したプロファイル情報を記憶させ、
記憶された前記プロファイル情報を読み出して、第２の機器に送信する
ステップを含むことを特徴とする動作制御方法。
【発明の詳細な説明】
【技術分野】
【０００１】
本発明は、電子機器および動作制御方法に関し、特に、家庭内ネットワークをコストを抑えて容易に構築することができるようにした電子機器および動作制御方法に関する。
【背景技術】
【０００２】
図１は、従来のテレビジョン受像機の構成例を示すブロック図である。ＴＶ（television）／データ放送受信部２には、内部バス９を介して、デコーダ３、ＨＤＤ（Hard Disk Drive）４、表示部５、ＣＰＵ（Central Processing Unit）６、受光部７、ＨＡＶｉ（Home Audio Video Interoperability）インターフェース８が接続されている。
【０００３】
ＣＰＵ６は、ユーザの操作に基づいて、図示せぬリモートコントローラから赤外線信号が受光部７に入力されると、ＴＶ／データ放送受信部２に図示せぬ放送局からの放送データを受信させ、デコーダ３にデコードさせる。デコーダ３は、デコードした放送データを、内部バス９を介して表示部５に出力する。表示部５は、放送データを表示する。
【０００４】
また、ＨＡＶｉインターフェース８は、図示せぬ複数の他の電子機器と、ＩＥＥＥ(Institute of Electrical and Electronics Engineers)１３９４高速シリアルバスにより接続されており、その規格に基づいて、相互認証処理や情報の授受を行う。
【０００５】
ＨＤＤ４は、ＣＰＵ６が実行するプログラムを格納し、またＴＶ／データ放送受信部２およびＨＡＶｉインターフェース８から受信した情報を記憶する。また、ユーザからの操作が、受光部７またはＨＡＶｉインターフェース８から取り込まれると、ＣＰＵ６は、ＨＤＤ４から指示に基づく情報を読み出し、表示部５に表示させる。
【０００６】
このようにＨＡＶｉインターフェース８を介することにより、他の電子機器からテレビジョン受像機１を制御し、例えば、図示せぬＶＣＲ（Video Cassette Recorder）からのビデオデータを家庭内ネットワークを通して受信し、表示部５に表示させることができる。
【発明の開示】
【発明が解決しようとする課題】
【０００７】
しかしながら、上記のような構成では、家庭内ネットワークを構築させるために、全ての電子機器に、ＨＡＶｉインターフェースを実装しなければならず、コストが高くなるという課題があった。
【０００８】
本発明はこのような状況に鑑みてなされたものであり、家庭内ネットワークを、コストを抑えて容易に構築することができるようにするものである。
【課題を解決するための手段】
【０００９】
本発明の第１の電子機器は、第１の機器から、第２の機器の識別情報と前記第２の機器にアクセスするための情報とを含むプロファイル情報を受信する受信手段と、前記第１の機器から受信したプロファイル情報を記憶する記憶手段と、前記記憶手段に記憶されたプロファイル情報を読み出して、前記第２の機器と通信を行い、前記第２の機器を制御する制御手段とを備えることを特徴とする。
【００１０】
本発明の第１の動作制御方法は、第１の機器から、第２の機器の識別情報と前記第２の機器にアクセスするための情報とを含むプロファイル情報を受信し、前記第１の機器から受信したプロファイル情報を記憶させ、記憶されたプロファイル情報を読み出して、前記第２の機器と通信を行い、前記第２の機器を制御するステップを含むことを特徴とする。
【００１１】
本発明の第２の電子機器は、第１の機器から、前記第１の機器の識別情報と前記第１の機器にアクセスするための情報とを含むプロファイル情報を受信する受信手段と、前記第１の機器から受信したプロファイル情報を記憶する記憶手段と、前記記憶手段から前記プロファイル情報を読み出して、第２の機器に送信する送信手段とを備えることを特徴とする。
【００１２】
本発明の第２の動作制御方法は、第１の機器から、前記第１の機器の識別情報と前記第１の機器にアクセスするための情報とを含むプロファイル情報を受信し、前記第１の機器から受信したプロファイル情報を記憶させ、記憶された前記プロファイル情報を読み出して、第２の機器に送信するステップを含むことを特徴とする。
【００１３】
本発明の第１の電子機器および動作制御方法においては、第１の機器から、第２の機器の識別情報と前記第２の機器にアクセスするための情報とを含むプロファイル情報とが受信され、前記第１の機器から受信したプロファイル情報が記憶され、記憶されたプロファイル情報が読み出されて、前記第２の機器と通信が行われ、前記第２の機器が制御される。
【００１４】
本発明の第２の電子機器および動作制御方法においては、第１の機器から、前記第１の機器の識別情報と前記第１の機器にアクセスするための情報とを含むプロファイル情報が受信され、前記第１の機器から受信したプロファイル情報が記憶され、記憶された前記プロファイル情報が読み出されて、第２の機器に送信される。
【発明の効果】
【００１５】
本発明の第１の電子機器および動作制御方法、並びに第２の電子機器および動作制御方法によれば、家庭内ネットワークをコストを抑えて容易に構築することが可能となる。
【発明を実施するための最良の形態】
【００１６】
図２は、本発明を適用したテレビジョン受像機２０、ＶＣＲ３０、およびモデム５０の構成例を示す図である。図中、図１と対応する部分については、同一の符号を付してあり、その説明は、繰り返しになるので省略する。
【００１７】
テレビジョン受像機２０の受光部７は、後述する図４に示されるような専用のリモートコントローラ８０などの子機から出射された赤外線信号を受光する。また、表示部５は、ユーザの指令に基づく操作情報、テレビジョン受像機２０の状態、または放送局から放送された放送データに基づく画像を表示する。
【００１８】
ＶＣＲ３０は、ユーザの指令に基づいて、カセット投入口３２から投入されたビデオテープカセット（図示せず）に収容されている磁気テープを再生したり、受信したビデオ信号とオーディオ信号を記録する。また、表示部３１は、ユーザの指令に基づく操作およびＶＣＲ３０の状態を表示する。
【００１９】
テレビジョン受像機２０とＶＣＲ３０は、後述する図５の近距離無線通信インターフェース２３および図７の近距離無線通信インターフェース３９により、無線ネットワークを構成し、Bluetooth（商標）の規格に基づいて、例えば、半径１０ｍの範囲で、近距離無線通信を行うことが可能である。さらに、モデム５０における近距離無線通信インターフェース５１が、ネットワークインターフェース５２を介してインターネットに接続することが可能となる。これにより、ＶＣＲ３０にあらかじめ録画しておいたビデオデータをテレビジョン受像機２０に送信し、表示部５に表示させること、あるいはインターネット上のホームページの画像などをテレビジョン受像機２０の表示部５に表示させることが可能である。近距離無線通信のネットワークプロトコルとしては、ＴＣＰ（Transmission Control Protocol）／ＩＰ（Internet Protocol）が用いられる。このプロトコルは、インターネットにおいて用いられており、専用のプロトコルを開発する必要がないので、安価なネットワークを構築することができる。
【００２０】
本発明の各装置は、インターネットを介して通信するのに用いられるブラウザとＷｅｂサーバ機能を有する必要があるが、これらは、例えば、ネットスケープナビゲータやアパッチ（いずれも商標）といったソフトウエアをそのまま用いることで実現できる。従って、この点からも安価なシステムを実現できる。
【００２１】
図３は、本発明を適用したＰＤＡ６０の構成例を示す図である。表示部６１は、所定の情報を表示したり、ユーザの指令を入力するのに使用される。また、ＰＤＡ６０は、後述する図８の近距離無線通信インターフェース６６を介して、無線ネットワークによる無線通信を行うことが可能なため、リモートコントローラとして、テレビジョン受像機２０およびＶＣＲ３０を遠隔操作することもできる。
【００２２】
図４は、テレビジョン受像機２０の遠隔操作を行うための子機として、テレビジョン受像機２０にあらかじめ備えられているリモートコントローラ８０の構成例を示すブロック図である。操作検出部８３は、ユーザの操作を検出し、その検出結果を制御部８２に出力する。制御部８２は、検出した結果に対応する赤外線信号を発光部８１に発光させる。テレビジョン受像機２０は、発光部８１からの赤外線信号を受光し、その信号に基づく処理を実行する。
【００２３】
図５は、テレビジョン受像機２０の詳細な構成例を示すブロック図である。図中、図１と対応する部分については、同一の符号を付してあり、その説明は、図５における説明としてここで引用する。
【００２４】
このテレビジョン受像機２０においては、ＴＶ／データ放送受信部２、デコーダ３、ＨＤＤ４、表示部５、ＣＰＵ６、および受光部７が、内部バス９により相互に接続されている他、非接触ＩＣ（Integrated Circuit）デバイス２１、ＲＡＭ(Random Access Memory)２２、近距離無線インターフェース２３、およびドライブ７０がさらに接続されている。
【００２５】
近距離無線通信インターフェース２３は、例えば、Bluetoothなどの無線通信規格に基づいて、他の電子機器との近距離無線通信を行う。
【００２６】
ＲＡＭ(Random Access Memory)２２は、ＨＤＤ４から読み出された、ＣＰＵ６が実行するＯＳ（Operating Systems）や各種アプリケーションプログラムの他、その実行において適宜変化するパラメータなどを適宜記憶する。ＨＤＤ４は、ＣＰＵ６が実行するＯＳやアプリケーションプログラムを格納する他、ＴＶ／データ放送受信部２または近距離無線通信インターフェース２３から受信した情報を記憶する。
【００２７】
非接触ＩＣデバイス２１は、同様の非接触ＩＣデバイスが備えられている他の電子機器との間において、互いの非接触ＩＣデバイスが近づけられたとき、相互認証処理を行う。これらの全ての電子機器には、固有のＩＤ（識別情報）およびアクセスするＵＲＬなどのプロファイル情報（後述する図７）が、その記録部（図５のテレビジョン受像機２０の場合、ＨＤＤ４）に記録されている。相互認証処理は、非接触ＩＣデバイスを介して、相互の電子機器に固有のプロファイル情報を交換、記録することにより行われ、相互認証処理を行うことにより、近距離無線通信インターフェース２３を介して情報の授受が可能となる。
【００２８】
内部バス９は、必要に応じてドライブ７０に接続され、磁気ディスク８１、光ディスク８２、光磁気ディスク８３、または半導体メモリ８４に記憶されている制御用プログラムを読み出し、読み出した制御用プログラムをＨＤＤ４に供給し、記録させる。
【００２９】
図６にテレビジョン受像機２０（図６Ａ）、ＶＣＲ３０（図６Ｂ）、およびＰＤＡ６０（図６Ｃ）のプロファイル情報の例を示す。
【００３０】
この例の場合、プロファイル情報は、プロファイルバージョン、ＩＤ、デコーダ、エンコーダ、ディスプレイ、ネットワーク、ブラウザ、アクセス用ＵＲＬ、および動画記録装置に関する情報とされる。図６Ａの例は、テレビジョン受像機２０のプロファイル情報であり、プロファイルバージョンは１．０、ＩＤは１１１．１１１．１１１．１１１とされている。デコータはＭＰＥＧ２の規格に基づくものとされ、エンコーダは有していないものとされている。ディスプレイは４８０×６８０のサイズとされている。ネットワークは８０２．１１ｂが用いられている。ブラウザはＡ社製Ｖｅｒ1.1、アクセス用ＵＲＬはhttp://www.abcとされ、動画記憶装置は２ＧＢの容量とされている。図６Ｂおよび図６Ｃのプロファイル情報も、同様の情報であり、その説明は省略する。これらのプロファイル情報を利用して、相互認証処理が行なわれる。また、近距離無線通信インターフェースを介して情報を授受する場合、プロファイル情報に基づいて、処理が実行される。
【００３１】
図７は、ＶＣＲ３０の詳細な構成例を示すブロック図である。
【００３２】
ＣＰＵ３７、表示部３１、エンコーダ３３、デコーダ３４、ＨＤＤ３５、ＲＡＭ３６、受光部３８、近距離無線インターフェース３９、非接触ＩＣデバイス４０、記録再生部４１、およびドライブ９０は、内部バス４２を介して相互に接続されている。
【００３３】
ＣＰＵ３７は、装着されたビデオカセットの磁気テープから記録再生部４１で再生されたデータを、内部バス４２を介してエンコーダ３３に出力する。エンコーダ３３は、再生データをエンコードし、近距離無線通信インターフェース３９に出力する。また、ＣＰＵ３７は、ＨＤＤ３５またはＲＡＭ３６に記録されているデータを、ユーザの指示に基づいて読み出させ、表示部３１に表示させる。ユーザの指示に対応する信号は、リモートコントローラ８０の発光部８１またはＰＤＡ６０の発光部６８（図９）、もしくは近距離無線通信インターフェース６６から出力され、受光部３８または近距離無線インターフェース３９から取りこまれる。
【００３４】
ＨＤＤ３５には、ＶＣＲ３０に固有のＩＤおよびアクセスするＵＲＬなどのプロファイル情報が記録されており、ＣＰＵ３７は、ＶＣＲ３０に固有のプロファイル情報をＨＤＤ３５から読み出した後、非接触ＩＣデバイス４０を介して、近づけられた電子機器に送信し、記録させる。また、近づけられた電子機器のプロファイル情報は、非接触ＩＣデバイス４０を介して受信され、ＲＡＭ３６に記憶される。
【００３５】
内部バス４２は、必要に応じてドライブ９０に接続され、磁気ディスク１０１、光ディスク１０２、光磁気ディスク１０３、または半導体メモリ１０４に記憶されている制御用プログラムを読み出し、読み出した制御用プログラムをＨＤＤ３５に供給し、記録させる。
【００３６】
図８は、ＰＤＡ６０の詳細な構成例を示すブロック図である。
【００３７】
表示部６１、デコーダ６２、半導体メモリ６３、ＲＡＭ６４、ＣＰＵ６５、近距離無線通信インターフェース６６、非接触ＩＣデバイス６７、発光部６８、およびドライブ１１０は、内部バス６９を介して相互に接続されている。
【００３８】
表示部６１に表示された操作アイコンをユーザが操作すると、ＣＰＵ６５は、発光部６８または近距離無線通信インターフェース６６を制御し、ユーザの操作に基づく信号を、対象とする電子機器に出力する。
【００３９】
ＣＰＵ６５は、ＲＡＭ６４、または半導体メモリ（例えば、メモリスティック（商標）など）６３に記録されている情報を、ユーザの指示に基づいて、近距離無線通信インターフェース６６または非接触ＩＣデバイス６７に出力する。
【００４０】
ＣＰＵ６５はまた、半導体メモリ６３またはＲＡＭ６４に記録されているデータを、ユーザの指示に基づいて読み出し、表示部６１に出力し、表示させる。
【００４１】
また、近距離無線通信インターフェース６６は、他の電子機器の近距離無線通信インターフェースを介して、データを取り込む。取り込んだデータは、ＣＰＵ６５により、内部バス６９を介してデコーダ６２へ供給される。デコーダ６２は、供給されたデータをデコードし、内部バス６９を介して表示部６１に出力し、表示させる。
【００４２】
非接触ＩＣデバイス６７は、半導体メモリ６３にあらかじめ記録されているＰＤＡ６０に固有のＩＤおよびアクセスするＵＲＬなどのプロファイル情報を、認証したい電子機器に出力し、認証したい電子機器に固有のプロファイル情報を記録することで相互認証処理を行う。
【００４３】
また、ＰＤＡ６０とテレビジョン受像機２０の相互認証処理を行った後、ＰＤＡ６０とＶＣＲ３０において、相互認証処理を行った場合、ＶＣＲ３０には、ＰＤＡ６０およびテレビジョン受像機２０に固有のプロファイル情報が記録される。さらに、ＰＤＡ６０とテレビジョン受像機２０の相互認証処理を再度行った際、テレビジョン受像機２０には、ＶＣＲ３０に固有のプロファイル情報が記録される。
【００４４】
内部バス６９は、必要に応じてドライブ１１０に接続され、磁気ディスク１２１、光ディスク１２２、光磁気ディスク１２３、または半導体メモリ１２４に記憶されている制御用プログラムを読み出し、読み出した制御用プログラムを半導体メモリ６３に供給し、記録させる。
【００４５】
次に、図９を参照して、テレビジョン受像機２０におけるパスワード登録処理について説明する。テレビジョン受像機２０の購入時（使用開始時）にパスワードを登録させることにより、相互認証処理において、認証を行っているユーザがテレビジョン受像機２０の所有者であることを確認できるようになる。テレビジョン受像機の主電源を切ると、保存されたパスワードは、消去される。これにより、廃棄、あるいは、リサイクルの場合に、そのテレビジョン受像機のパスワードが判らないため、使用不能になってしまうことが防止される。なお、この処理は、ユーザがテレビジョン受像機２０に付属のリモートコントローラ８０を操作して主電源を入れたとき開始される。
【００４６】
ステップＳ１１において、ＣＰＵ６は、ＲＡＭ２２に以前の認証情報が記録されていた場合、認証情報を初期化（認証情報の消去）する。主電源が切られた場合、それまで記録されていた認証情報を消去することにより、ユーザがパスワードを忘れてしまったようなときでも、新たに登録し直すことで、使用ができなくなってしまうことが防止される。
【００４７】
ステップＳ１２において、ＣＰＵ６は、内部バス９を介して表示部５にパスワード入力画面を表示させる。この処理における表示部５の表示例を図１０に示す。この例では、「パスワードを入力して下さい」というメッセージが表示されている。ユーザは、このメッセージに従ってリモートコントローラ８０を操作してパスワードを入力する。このとき、操作検出部８３が操作を検出し、その操作に対応する信号を制御部８２に出力する。制御部８２は、入力に対応する赤外線信号を発光部８１に発光させる。発光された赤外線信号は、テレビジョン受像機２０の受光部７に受光される。ＣＰＵ６は、受光部７の出力から、パスワード情報（例えば、４桁の数字）を取得する。
【００４８】
ステップＳ１３において、ＣＰＵ６は、入力されたパスワード情報が正しく入力されたか否か（桁数および決められた文字の範囲内であるか否か）を判定する。パスワードが正しく入力されていないと判定された場合、ステップＳ１４において、ＣＰＵ６は、表示部５にエラーメッセージ（例えば、「パスワードは４桁の数字です」のようなメッセージ）を表示させる。その後、ステップＳ１２に戻り、それ以降の処理が繰り返される。
【００４９】
ステップＳ１３において、パスワードが正しく入力されたと判定された場合、ステップ１５に進み、ＣＰＵ６はＲＡＭ２２に、入力されたパスワードを記録させる。
【００５０】
以上の処理は、ＶＣＲ３０およびＰＤＡ６０など、無線ネットワーク（ホームネットワーク）を構成するすべての電子機器においても、同様に実行される。各装置のパスワードは同一でも異なってもよい。このように、全ての電子機器において、主電源を入れた際にパスワードを設定することで、他のユーザ（パスワードを知らないユーザ）に装置が不正に使用されるといったトラブルを避けることができる。
【００５１】
次に、図１１と図１２を参照して、ＶＣＲ３０およびＰＤＡ６０における認証情報登録処理について説明する。なお、この処理は、ＶＣＲ３０およびＰＤＡ６０に、それぞれパスワードが設定登録された後に行なわれる処理であり、ユーザがＰＤＡ６０をＶＣＲ３０に近づけることにより開始される。
【００５２】
最初に、図１１を参照して、ＶＣＲ３０における認証情報登録処理について説明する。ユーザの操作によりＰＤＡ６０がＶＣＲ３０に近づけられると、非接触ＩＣデバイス４０は非接触ＩＣデバイス６７が近傍（例えば、数センチメートルの距離）に配置されたことを検出し、その検出信号をＣＰＵ３７に出力する。このとき、ＣＰＵ３７は、ステップＳ３１において、認証モードを設定する。
【００５３】
ステップＳ３２において、ＣＰＵ３７は、内部バス４２を介して非接触ＩＣデバイス４０に、ＰＤＡ６０に固有のプロファイル情報の送信を要求する信号を出力させる。
【００５４】
この要求に基づいて、ＰＤＡ６０の非接触ＩＣデバイス６７は、そのプロファイル情報を送信してくる（後述する図１２のステップＳ６３）。そこで、ステップＳ３３において、非接触ＩＣデバイス４０は、ＰＤＡ６０から送信されてきたプロファイル情報を受け取り、ＣＰＵ３７に供給する。このプロファイル情報には、ＰＤＡ６０に固有のＩＤおよびアクセスするＵＲＬなどの情報が含まれている。また、プロファイル情報は、インターオペラビリティ確保のために、ＸＭＬ（eXtensible Markup Language）で記述されている。
【００５５】
ステップＳ３４において、ＣＰＵ３７は、受け取ったプロファイル情報が適正か否か（プロファイル情報が破損していないか、または正しく受信されたか否か）を判定する。プロファイル情報が適正でないと判定された場合、ステップＳ３５において、ＣＰＵ３７は、非接触ＩＣデバイス４０を介して、ＰＤＡ６０にエラーを通知する。ステップＳ３６において、ＣＰＵ３７は処理を終了する。
【００５６】
ステップＳ３４において、プロファイル情報が適正であると判定された場合、ステップＳ３７に進み、ＣＰＵ３７は、ＲＡＭ３６にＰＤＡ６０のプロファイル情報を保存させる。このとき、ＰＤＡ６０のプロファイル情報は、ＲＡＭ３６に記録させるため、電源を切ると消去される。これは、先に説明したパスワード情報と同様、廃棄の場合を考慮したものである。
【００５７】
ステップＳ３８において、ＣＰＵ３７は、非接触ＩＣデバイス４０を介して、ＰＤＡ６０に、プロファイル情報が適正に保存されたことを表すＯＫ通知を送信する。
【００５８】
ステップＳ３９において、ＣＰＵ３７は、ＨＤＤ３５に記録されているＶＣＲ３０のプロファイル情報を読み出し、非接触ＩＣデバイス４０を介して、ＰＤＡ６０に送信させる。この場合、ＶＣＲ３０に既に相互認証処理を行った他の機器が存在するとき（相互認証処理を行った他の機器のプロファイル情報がＲＡＭ３６に記録されているとき）、ＣＰＵ３７は、その他の機器のプロファイル情報も送信する。また、ＶＣＲ３０のプロファイル情報は、ＨＤＤ３５にあらかじめ記録されているものであり、電源を切ることによっても消去されることはない。
【００５９】
ＰＤＡ６０にプロファイル情報が送信されると、ＰＤＡ６０からエラー（後述する図１２のステップＳ６９）またはＯＫ通知（後述する図１２のステップＳ７２）が送信されてくる。そこで、ステップＳ４０において、ＣＰＵ３７は、非接触ＩＣデバイス４０を介して、ＰＤＡ６０からエラーの通知を受けたか否かを判定する。エラーの通知を受けた場合、ステップＳ４１において、ＣＰＵ３７は処理を終了する。
【００６０】
ステップＳ４０において、ＣＰＵ３７は、エラーの通知を受けていないと判定した場合、ステップＳ４２に進み、ＰＤＡ６０からのＯＫ通知を、非接触ＩＣデバイス４０を介して受け取る。
【００６１】
ステップＳ４３において、ＣＰＵ３７は、表示部３１にパスワード入力画面を表示させる。ユーザは、この表示に従って図示せぬ専用（ＶＣＲ３０専用）のリモートコントローラ（またはＰＤＡ６０）を操作してＶＣＲ３０に設定されている（ＶＣＲ３０を使用するのに必要な）パスワードを入力する。ＣＰＵ３７は、このとき入力されたパスワードを取得する。
【００６２】
ステップＳ４４において、ＣＰＵ３７は入力されたパスワードが適正か否か（主電源を入れた際に、ＲＡＭ３６に設定登録されているパスワードと同一であるか否か）を判定する。パスワードが適正でないと判定された場合、ステップＳ４５において、ＣＰＵ３７は、非接触ＩＣデバイス４０を介してＰＤＡ６０にエラーを通知する。ステップＳ４６において、ＣＰＵ３７は処理を終了する。
【００６３】
ステップＳ４４において、パスワードが適正であると判定された場合、ＣＰＵ３７は非接触ＩＣデバイス４０を介して、ＰＤＡ６０にＯＫ通知を送信する。このＯＫ通知は、パスワードが適正であることをＰＤＡ６０に通知するものである。
【００６４】
ユーザはＰＤＡ６０に対しても、同様にパスワードを入力する。このときＰＤＡ６０からエラー（後述する図１２のステップＳ７８）またはＯＫ通知（後述する図１２のステップＳ８０）が送信されてくる。そこで、ステップＳ４８において、ＣＰＵ３７は、ＰＤＡ６０から非接触ＩＣデバイス４０を介してエラーの通知を受けたか否かを判定する。エラーの通知を受けたと判定された場合、ステップＳ４９において、ＣＰＵ３７は、処理を終了する。
【００６５】
ステップＳ４８において、エラーの通知を受けていないと判定された場合、ステップＳ５０に進み、ＣＰＵ３７は、非接触ＩＣデバイス４０を介して、ＰＤＡ６０からＯＫ通知を受け取る。このＯＫ通知は、ＰＤＡ６０に対して入力されたパスワードが適正であることをＶＣＲ３０が確認するものである。
【００６６】
次に、図１２を参照して、図１１のＶＣＲ３０の認証情報登録処理に対応して実行されるＰＤＡ６０における認証情報登録処理について説明する。ユーザの操作によりＰＤＡ６０がＶＣＲ３０に近づけられると、非接触ＩＣデバイス６７が非接触ＩＣデバイス４０が近傍に配置されたことを検出する。この検出信号が入力されると、ステップＳ６１において、ＣＰＵ３７は、認証モードを設定する。
【００６７】
ステップＳ６２において、ＣＰＵ６５は、内部バス６９を介して非接触ＩＣデバイス６７から、ＶＣＲ３０からのプロファイル情報送信の要求（ステップＳ３２）を受け取る。
【００６８】
ステップＳ６３において、ＣＰＵ６５は、半導体メモリ６３にあらかじめ記録されているＰＤＡ６０に固有のＩＤおよびアクセスするＵＲＬなどのプロファイル情報を読み出し、非接触ＩＣデバイス６７を介してＶＣＲ３０に送信させる。このプロファイル情報は、上述したようにステップＳ３３で、ＶＣＲ３０により取得される。ＰＤＡ６０に既に相互認証処理を行った他の機器が存在する場合（相互認証処理を行った他の機器のプロファイル情報がＲＡＭ６４に記録されている場合）、ＣＰＵ６５は、この他の機器のプロファイル情報も送信する。また、ＰＤＡ６０に固有のプロファイル情報は、半導体メモリ６３にあらかじめ記録されているものであり、電源を切ることによっても消去されることはない。
【００６９】
ステップＳ６４において、ＣＰＵ６５は、非接触ＩＣデバイス６７を介してＶＣＲ３０からエラーの通知（ステップＳ３５の処理で送信された通知）を受けたか否かを判定する。エラーの通知を受けた場合、ステップＳ６５において、ＣＰＵ６５は処理を終了する。
【００７０】
ステップＳ６４において、ＣＰＵ６５は、エラーの通知を受けていないと判定した場合、ステップＳ６６に進み、ＶＣＲ３０からのＯＫ通知（ステップＳＳ３８の処理で送信された通知）を、非接触ＩＣデバイス６７を介して受け取る。このＯＫ通知は、ＰＤＡ６０のプロファイル情報が、ＶＣＲ３０のＲＡＭ３６に適正に保存されたことをＶＣＲ３０に通知するものである。
【００７１】
ステップＳ６７において、非接触ＩＣデバイス６７は、ＶＣＲ３０からのプロファイル情報（ステップＳ３９の処理で送信されたプロファイル情報）を受け取る。このとき、受け取ったプロファイル情報には、ＶＣＲ３０に固有のＩＤおよびアクセスするＵＲＬなどの情報が含まれている。また、ＶＣＲ３０が相互認証した他の機器のプロファイル情報も含まれている。
【００７２】
ステップＳ６８において、ＣＰＵ６５は、受け取ったプロファイル情報が適正か否か（プロファイル情報が破損していないか、または正しく受信されたか否か）を判定する。適正でないと判定された場合、ステップＳ６９において、ＣＰＵ６５は、非接触ＩＣデバイス６７を介して、ＶＣＲ３０にエラーを通知する。ステップＳ７０において、ＣＰＵ６５は処理を終了する。
【００７３】
ステップＳ６８において、プロファイル情報が適正であると判定された場合、ステップＳ７１に進み、ＣＰＵ６５は、ＲＡＭ６４にＶＣＲ３０におけるプロファイル情報を保存させる。
【００７４】
ステップＳ７２において、ＣＰＵ６５は、非接触ＩＣデバイス６７を介して、ＶＣＲ３０にＯＫ通知を送信させる。このＯＫ通知は、ＰＤＡ６０において、ＶＣＲ３０のプロファイル情報が保存されたことを通知するものである。
【００７５】
ステップＳ７３において、ＣＰＵ６５は、ＶＣＲ３０から非接触ＩＣデバイス６７を介してエラーの通知（ステップＳ４５の処理で送信された通知）を受けたか否かを判定する。エラーの通知を受けたと判定された場合、ステップＳ７４において、ＣＰＵ６５は、処理を終了する。
【００７６】
ステップＳ７３において、エラーの通知を受けていないと判定された場合、ステップＳ７５に進み、ＣＰＵ６５は、非接触ＩＣデバイス６７を介して、ＶＣＲ３０からＯＫ通知（ステップＳ４７の処理で送信された通知）を受け取る。このＯＫ通知は、ＶＣＲ３０において、パスワードが適正であることをＰＤＡ６０が確認するものである。
【００７７】
ステップＳ７６において、ＣＰＵ６５は、表示部６１にパスワード入力画面を表示させ、ユーザに、ＰＤＡ６０に設定登録されているパスワード（ＰＤＡ６０を使用するのに必要なパスワード）を入力させる。ユーザは、この入力画面に基づいて、表示部６１（タッチパネル）を操作して、ＰＤＡ６０のパスワードを入力する。ＣＰＵ６５は、この入力されたパスワードを取得する。
【００７８】
ステップＳ７７において、ＣＰＵ６５は入力されたパスワードが適正か否か（主電源を入れた際に、ＲＡＭ６４に設定登録されているパスワードと同一であるか否か）を判定する。入力されたパスワードが適正ではないと判定された場合、ステップＳ７８において、ＣＰＵ６５は、非接触ＩＣデバイス６７を介してＶＣＲ３０にエラーを通知する。ステップＳ７９において、ＣＰＵ６５は処理を終了する。
【００７９】
ステップＳ７７において、パスワードが適正であると判定された場合、ステップＳ８０に進み、ＣＰＵ６５は非接触ＩＣデバイス６７を介して、ＶＣＲ３０にＯＫ通知を送信する。このＯＫ通知は、ＰＤＡ６０において、パスワードが適正であることをＶＣＲ３０に通知するものであり、ステップＳ５０で、ＶＣＲ３０により受信される。
【００８０】
以上の図１１と図１２の処理によって、ＶＣＲ３０およびＰＤＡ６０の間で、認証情報登録処理が行われ、ＶＣＲ３０には、ＰＤＡ６０に固有のプロファイル情報とＰＤＡ６０が相互認証した他の機器のプロファイル情報が、また、ＰＤＡ６０には、ＶＣＲ３０に固有のプロファイル情報とＶＣＲ３０が相互認証した他の機器のプロファイル情報が記録される。この相互認証情報登録を行うことによって、ＰＤＡ６０は、ＶＣＲ３０に対して、リモートコントローラとしての役割を果たすことが可能となる。具体的には、ユーザの指令に基づいて、ＰＤＡ６０のＣＰＵ６５が、近距離無線通信インターフェース６６を介して、ＶＣＲ３０の近距離無線通信インターフェース３９にユーザの指令に基づく信号を送信する。ＶＣＲ３０のＣＰＵ３７は、近距離無線通信インターフェース３９を介して受信した信号に基づいて、各部を制御して、指令に基づく処理を実行する。
【００８１】
図１１と図１２に示されるような認証情報登録処理は、ＰＤＡ６０およびテレビジョン受像機２０との間においても同様に行われる。さらに、ＰＤＡ６０およびＶＣＲ３０との間において認証情報登録処理が行なわれた後、ＰＤＡ６０およびテレビジョン受像機２０との間において認証情報登録処理が行なわれた場合、ＰＤＡ６０には、ＶＣＲ３０に固有の認証情報も記録されているため、テレビジョン受像機２０には、ＰＤＡ６０およびＶＣＲ３０の２つの認証情報が登録される。さらに、ＰＤＡ６０においても、ＶＣＲ３０とテレビジョン受像機２０の認証情報が登録される。また、この処理の後、ＰＤＡ６０およびＶＣＲ３０を再度近づけることにより、ＶＣＲ３０には、新たに、ＰＤＡ６０の認証情報に含まれているテレビジョン受像機２０に固有の認証情報が記録される。
【００８２】
このような処理を行うことにより、テレビジョン受像機２０およびＶＣＲ３０のような、比較的大型で重い電子機器を移動させることなく、小型で軽量のＰＤＡ６０を介して、それらの間の相互認証処理を行うことが可能となる。相互認証処理が完了した各機器は、無線ネットワークを構成し、それぞれの近距離無線通信インターフェースを用いて、相互に通信し、一方が他方を制御することが可能となる。
【００８３】
次に、図１３と図１４を参照して、テレビジョン受像機２０をＰＤＡ６０で操作する処理について説明する。なお、この処理は、ユーザがＰＤＡ６０を操作して、ＰＤＡ６０に登録されている認証済み機器一覧の表示を求めたときに開始される。
【００８４】
最初に、図１３を参照して、ＰＤＡ６０の処理について説明する。
【００８５】
ステップＳ９１において、ユーザからの指令に基づいて、ＣＰＵ６５は、認証済み機器（無線ネットワークを構成する機器として登録されている機器）の情報を、ＲＡＭ６４から読み出し、表示部６１に表示させる。このときの表示画面例を図１５に示す。図１５の例では、表示部６１に、認証済み機器の一覧が表示されている。この例の場合、ビデオデッキ（ＶＣＲ３０）およびテレビ（テレビジョン受像機２０）が登録されているので、ユーザは、そのいずれかを選択することが可能である。
【００８６】
ステップＳ９２において、ＣＰＵ６５は、ユーザの指令に基づく選択を受け付ける。
【００８７】
ステップＳ９３において、ＣＰＵ６５は、ユーザにより選択された機器（例えば、テレビジョン受像機２０）のプロファイル情報をＲＡＭ６４から検索する。
【００８８】
ステップＳ９４において、ＣＰＵ６５は、ＲＡＭ６４に記録されている、選択された機器のプロファイル情報から機器のＵＲＬを読み出し、近距離無線通信インターフェース６６を介して機器のＵＲＬにアクセスするとともに、半導体メモリ６３からＰＤＡ６０に固有のＩＤ情報を読み出し、送信する。
【００８９】
テレビジョン受像機２０にＰＤＡ６０に固有のＩＤ情報が送信されると、テレビジョン受像機２０からエラー（後述する図１４のステップＳ１１３）または、ＵＲＬのファイル（後述する図１４のステップＳ１１５）が送信されてくる。そこで、ステップＳ９５において、ＣＰＵ６５は、近距離無線通信インターフェース６６を介して、エラーの通知を受けたか否かを判定する。例えば、ＰＤＡ６０がアクセスしたテレビジョン受像機２０に認証済みでない場合、エラーの通知を受ける。エラーの通知を受けたと判定された場合、ステップＳ９６において、ＣＰＵ６５は処理を終了する。
【００９０】
ステップＳ９５において、エラーの通知を受けなかったと判定された場合、ステップＳ９７に進み、ＣＰＵ６５は、近距離無線通信インターフェース６６を介して、アクセスしたＵＲＬのファイルを受け取り、表示部６１に表示させる。このときの表示画面例を図１６に示す。図１６の例では、表示部６１に、テレビジョン受像機２０の操作選択画面一覧が表示されている。この例の場合、チャンネル操作、画面操作、予約、および入力切換が表示されているので、ユーザは、そのいずれかを選択することが可能である。
【００９１】
ステップＳ９８において、ＣＰＵ６５は、ユーザの指令に基づく選択を受け付ける。
【００９２】
ステップＳ９９において、ＣＰＵ６５は、指令に対応する信号（例えば、チャンネル操作に対応する信号）を近距離無線通信インターフェース６６を介して、テレビジョン受像機２０に出力する。
【００９３】
次に、図１４を参照して、図１３のＰＤＡ６０の処理に対応して実行されるテレビジョン受像機２０の処理について説明する。
【００９４】
ステップＳ１１１において、テレビジョン受像機２０のＣＰＵ６は、近距離無線通信インターフェース２３を介して、ＰＤＡ６０に固有のＩＤ情報（ステップＳ９４の処理で送信されたＩＤ情報）を受信すると、ステップＳ１１２において、ＲＡＭ２２に記録されている認証情報を読み出し、アクセスしてきたＰＤＡ６０が認証済みであるか否かを判定する。認証済みでないと判定された場合、ステップＳ１１３において、ＣＰＵ６は、近距離無線通信インターフェース２３を介して、ＰＤＡ６０にエラーを通知する。ステップＳ１１４において、ＣＰＵ６は、処理を終了する。
【００９５】
ステップ１１２において、アクセスしてきたＰＤＡ６０が認証済みであると判定された場合、ステップＳ１１５に進み、ＣＰＵ６は、ＣＧＩ（Common Gateway Interface）を利用してＸＭＬ（または、ＨＴＭＬ（Hyper Text Markup Language）のファイルを作成し、ＰＤＡ６０がアクセスしたＵＲＬのファイルとして送信する。
【００９６】
ステップＳ１１６において、ＣＰＵ６は近距離無線通信インターフェース２３を介して、ユーザにより入力された指令に対応する信号（ステップＳ９９の処理で出力された信号）をＰＤＡ６０から受信する。ＣＰＵ６は入力された信号に基づいて、ＣＧＩを起動し、入力された信号に対応する処理を実行する。
【００９７】
このような処理を繰り返すことで、ＰＤＡ６０の表示部６１には、処理に対応する表示がなされる。例えば、図１６の表示部６１において、ユーザにより「チャンネル操作」の選択がなされた場合、近距離無線通信インターフェース６６は、操作に対応する信号をテレビジョン受像機２０に送信する。その後、テレビジョン受像機２０から送信されてきた対応するチャンネルの番組を受信すると、ＣＰＵ６５は、表示部６１にその番組を表示させる。
【００９８】
次に、図１７と図１８を参照して、ＶＣＲ３０の録画済みテレビ番組をＰＤＡ６０で再生する処理について説明する。なお、この処理は、ユーザがＰＤＡ６０を操作して、ＰＤＡ６０における認証済み機器一覧の表示を求めたときに開始される。
【００９９】
最初に、図１７を参照して、ＰＤＡ６０の処理について説明する。
【０１００】
ステップＳ１２１において、ユーザからの操作に基づいて、ＣＰＵ６５は、認証済み機器の情報を、ＲＡＭ６４から読み出し、表示部６１に表示させる。このとき、表示部６１には、図１５に示されるように、認証済み機器の一覧が表示される。
【０１０１】
ステップＳ１２２において、ＣＰＵ６５は、ユーザの指令に基づく選択を受け付ける。
【０１０２】
ステップＳ１２３において、ＣＰＵ６５は、選択された機器（例えば、ＶＣＲ３０）のプロファイル情報をＲＡＭ６４から検索する。
【０１０３】
ステップＳ１２４において、ＣＰＵ６５は、ＲＡＭ６４に記録されている選択された機器のプロファイル情報から機器のＵＲＬを読み出し、近距離無線通信インターフェース６６を介して機器のＵＲＬにアクセスするとともに、半導体メモリ６３からＰＤＡ６０に固有のＩＤ情報を読み出し、送信する。
【０１０４】
ＶＣＲ３０にＰＤＡ６０に固有のＩＤ情報が送信されると、ＶＣＲ３０からエラー（後述する図１８のステップＳ１５３）または、ＵＲＬのファイル（後述する図１８のステップＳ１５５）が送信されてくる。そこで、ステップＳ１２５において、ＣＰＵ６５は、近距離無線通信インターフェース６６を介して、エラーの通知を受けたか否かを判定する。例えば、ＰＤＡ６０がアクセスしたＶＣＲ３０に認証済みでない場合、エラーの通知を受ける。エラーの通知を受けたと判定された場合、ステップＳ１２６において、ＣＰＵ６５は処理を終了する。
【０１０５】
ステップＳ１２５において、エラーの通知を受けなかったと判定された場合、ステップＳ１２７に進み、ＣＰＵ６５は、近距離無線通信インターフェース６６を介して、アクセスしたＵＲＬのファイルを受け取り、表示部６１に表示させる。このときの表示画面例を図１９に示す。図１９の例では、表示部６１に、ＶＣＲ３０の操作選択画面一覧が表示されている。この例の場合、録画予約、録画済番組一覧、およびその他設定が表示されており、ユーザは、そのいずれかを選択することが可能である。
【０１０６】
ステップＳ１２８において、ＣＰＵ６５は、ユーザの操作に基づく選択を受け付ける。いまの場合、「録画済み番組一覧」の選択が受け付けられる。
【０１０７】
ステップＳ１２９において、ＣＰＵ６５は、操作に対応する信号を近距離無線通信インターフェース６６を介して、ＶＣＲ３０に送信する。
【０１０８】
ＶＣＲ３０に操作に対応する信号が送信されると、ＶＣＲ３０からエラー（図１８のステップＳ１５８）または、ＵＲＬのファイル（図１８のステップＳ１６０）が送信されてくる。そこで、ステップＳ１３０において、ＣＰＵ６５は、近距離無線通信インターフェース６６を介してＶＣＲ３０からエラーの通知を受けたか否かを判定する。エラーの通知を受けたと判定された場合、ステップＳ１３１に進み、ＣＰＵ６５は、処理を終了する。
【０１０９】
ステップＳ１３０において、エラーの通知を受けていないと判定された場合、処理はステップＳ１３２に進み、ＣＰＵ６５は、ＶＣＲ３０から送信されたＵＲＬのファイルを近距離無線通信インターフェース６６を介して受信し、表示部６１に表示させる。このときの表示画面例を図２０に示す。図２０の例では、表示部６１に、録画済み番組一覧として、スポーツニュース、午後のニュース、および朝のドラマという番組のタイトルが表示されている。ユーザは、この中から番組を選択することが可能である。
【０１１０】
ステップＳ１３３において、ユーザの指示により、ＣＰＵ６５は、「午後のニュース」の選択を受け付ける。
【０１１１】
ステップＳ１３４において、ＣＰＵ６５は、ユーザの指示に対応する信号（この場合、「午後のニュース」の選択）を近距離無線通信インターフェース６６に送信させる。
【０１１２】
ＶＣＲ３０に操作に対応する信号が送信されると、ＶＣＲ３０から「午後のニュース」の画像データと音声データが送信されてくる。そこで、ステップＳ１３５において、ＣＰＵ６５は、ＶＣＲ３０からの「午後のニュース」の画像データと音声データを、近距離無線通信インターフェース６６を介して受信し、表示部６１に画像を表示させるとともに、対応する音声を、図示せぬスピーカから出力させる。このときの表示画面例を図２１に示す。図２１の表示部６１には、「午後のニュース」の画像が表示されている。
【０１１３】
次に、図１８を参照して、図１７のＰＤＡ６０の処理に対応して実行されるＶＣＲ３０の処理について説明する。
【０１１４】
ステップＳ１５１において、ＶＣＲ３０のＣＰＵ３７は、近距離無線通信インターフェース３９を介して、ＰＤＡ６０に固有のＩＤ情報（ステップＳ１２４の処理で送信されたＩＤ情報）を受信する。
【０１１５】
ステップＳ１５２において、ＣＰＵ３７は、ＲＡＭ３６に記録されている認証情報を読み出し、アクセスしてきたＰＤＡ６０が認証済みであるか否かを判定する。認証済みでないと判定された場合、ステップＳ１５３において、ＣＰＵ３７は、近距離無線通信インターフェース３９を介して、ＰＤＡ６０にエラーを通知する。ステップＳ１５４において、ＣＰＵ３７は、処理を終了する。
【０１１６】
ステップ１５２において、アクセスしてきたＰＤＡ６０が認証済みであると判定された場合、ステップＳ１５５に進み、ＣＰＵ３７は、ＣＧＩを利用してＸＭＬ（または、ＨＴＭＬ）のファイルを作成し、ＰＤＡ６０がアクセスしたＵＲＬのファイルとして送信する。
【０１１７】
ステップＳ１５６において、ＣＰＵ３７は近距離無線通信インターフェース３９を介して、ユーザにより入力された操作に対応する信号（ステップＳ１２９の処理で出力された信号）をＰＤＡ６０から受信する。ＣＰＵ３７は入力された信号に基づいて、ＣＧＩを起動し、入力された信号に対応する処理を実行する。この例の場合、ＣＰＵ３７は、ＰＤＡ６０からの、「録画済み番組一覧」の選択に対応する信号を受信し、ＣＧＩを起動する。
【０１１８】
ステップＳ１５７において、ＣＰＵ３７は、記録再生部４１に記録されている番組についての情報を読み出し、録画済み番組があるか否かを判定する。録画済み番組がないと判定された場合、ステップＳ１５８において、ＣＰＵ３７は、近距離無線通信インターフェース３９を介してＰＤＡ６０にエラーを通知する。ステップＳ１５４において、ＣＰＵ３７は処理を終了する。
【０１１９】
ステップＳ１５７で録画済み番組があると判定された場合、ステップＳ１６０に進み、ＣＰＵ３７は、ＣＧＩを起動し、録画番組情報についてＨＴＭＬ（ＸＭＬ）のファイルを作成し、アクセスしたＵＲＬのファイルとして近距離無線通信インターフェース３９を介してＰＤＡ６０に送信する。
【０１２０】
ステップＳ１６１において、ＣＰＵ３７は、近距離無線通信インターフェース３９を介して、ユーザにより入力された操作（「午後のニュース」の選択）に対応する信号（ステップＳ１３４の処理で出力された信号）をＰＤＡ６０から受信する。ＣＰＵ３７は入力された信号に基づいて、ＨＤＤ３５からＣＧＩを起動する。
【０１２１】
ステップＳ１６２において、ＣＰＵ３７は、ユーザにより入力された操作（「午後のニュース」の選択）に対応する信号、およびアクセスしてきた機器のＩＤ情報（ステップＳ１５１で受信した、アクセスしてきた機器に固有のＩＤ）から、その機器がデコード可能なエンコード方式および表示部６１の表示能力を確認し、「午後のニュース」のデータを記録再生部４１から読み出し、エンコーダ３３にエンコードさせる。ＣＰＵ３７は、エンコーダ３３による「午後のニュース」のデータのエンコードが終了すると、近距離無線通信インターフェース３９を介してＰＤＡ６０に送信する。
【０１２２】
このような処理を繰り返すことで、ＰＤＡ６０の表示部６１に、処理に対応する表示がなされる。また、ＰＤＡ６０をリモートコントローラとして使用し、ＶＣＲ３０に記録されている録画済番組などの情報を、テレビジョン受像機２０で再生することも可能である。この場合、テレビジョン受像機２０のＣＰＵ６が、近距離無線通信インターフェース２３を介して、ＶＣＲ３０のＵＲＬにアクセスすることによりＶＣＲ３０の操作を行うことが可能となる。また、このときの操作は、リモートコントローラ８０でも可能である。
【０１２３】
以上のように、テレビジョン受像機２０、ＶＣＲ３０およびＰＤＡ６０において、近距離無線通信インターフェースおよび非接触ＩＣデバイスを設けることにより、家庭内ネットワークが容易に構築することが可能となる。
【０１２４】
また、例えば、携帯電話機を無線ネットワークを構成するように登録しておけば、その携帯電話機を用いて外出先から、自宅にあるビデオのＵＲＬにアクセスし、録画済み番組を手軽に鑑賞することが可能となる。
【０１２５】
さらに、有料番組をＶＣＲ３０に録画し、外出先で再生することも可能である。この場合、番組提供側は、例えば、この番組を見ることができる機器の個数や回数を制限し、衛星放送の有料番組配信を行う。指定したＵＲＬのアクセスを制限することにより、無断コピーなどを防ぐことも可能である。
【０１２６】
また、非接触ＩＣカードの技術を基本としているため、セキュリティの高い、および容易な相互認証処理を行うことが可能となる。
【０１２７】
なお、無線ネットワークを構成する電子機器としては、テレビジョン受像機、ＶＣＲ、ＰＤＡ、携帯電話機の他、オーディオ機器、チューナ、プリンタ、ウオークマン（商標）に代表される携帯型オーディオ再生機器、冷蔵庫、クーラーといった各種の家庭用の電子機器を採用することができる。
【０１２８】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、記録媒体からインストールされる。
【０１２９】
この記録媒体は、図５に示されるように、コンピュータとは別に、ユーザにプログラムを提供するために配布される、プログラムが記録されている磁気ディスク８１（フロッピディスクを含む）、光ディスク８２（CD-ROM（Compact Disc-Read Only Memory）、DVD（Digital Versatile Disc）を含む）、光磁気ディスク８３（MD（Mini Disc）を含む）、半導体メモリ８４などによりなるパッケージメディアにより構成されるだけでなく、コンピュータに予め組み込まれた状態でユーザに提供される、プログラムが記録されているＨＤＤ４などで構成される。また、図７および図８においてもその構成は同様のため、説明を省略する。
【０１３０】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０１３１】
【図１】従来のテレビジョン受像機の構成例を示すブロック図である。
【図２】本発明を適用した電子機器の外観の構成例を示す図である。
【図３】本発明を適用したＰＤＡの外観の構成例を示す図である。
【図４】図２のテレビジョン受像機を操作するためのリモートコントローラの構成例を示すブロック図である。
【図５】図２のテレビジョン受像機の内部の構成例を示すブロック図である。
【図６】図２のテレビジョン受像機、ＶＣＲおよび図３のＰＤＡのプロファイル情報の例を示す図である。
【図７】図２のＶＣＲの内部の構成例を示すブロック図である。
【図８】図３のＰＤＡの内部の構成例を示すブロック図である。
【図９】図２のテレビジョン受像機におけるパスワード登録処理を説明するフローチャートである。
【図１０】図２のテレビジョン受像機の表示画面例を示す図である。
【図１１】図２のＶＣＲの認証情報登録処理を説明するフローチャートである。
【図１２】図３のＰＤＡの認証情報登録処理を説明するフローチャートである。
【図１３】図２のＰＤＡのテレビジョン受像機を操作する処理を説明するフローチャートである。
【図１４】図２のＰＤＡにより操作されるテレビジョン受像機の処理を説明するフローチャートである。
【図１５】図３のＰＤＡの表示画面例を示す図である。
【図１６】図３のＰＤＡの表示画面例を示す図である。
【図１７】図３のＰＤＡの図２のＶＣＲの録画済み番組テレビ番組を再生する処理を説明するフローチャートである。
【図１８】図３のＰＤＡにより操作される図２のＶＣＲの録画済み番組テレビ番組を再生する処理を説明するフローチャートである。
【図１９】図３のＰＤＡの表示画面例を示す図である。
【図２０】図３のＰＤＡの表示画面例を示す図である。
【図２１】図３のＰＤＡの表示画面例を示す図である。
【符号の説明】
【０１３２】
４  ＨＤＤ，  ５  表示部，  ６  ＣＰＵ，  ７  受光部，  ２０  テレビジョン受像機，  ２１  非接触ＩＣデバイス，  ２２  ＲＡＭ，  ２３  近距離無線通信インターフェース，  ３１  表示部，  ３５  ＨＤＤ，  ３６  ＲＡＭ，  ３７  ＣＰＵ，  ３８  受光部，  ３９  近距離無線通信インターフェース，  ４０  非接触ＩＣデバイス，  ５０  モデム，  ５１  近距離無線通信インターフェース，  ５２  ネットワークインターフェース，  ６３  半導体メモリ，  ６４  ＲＡＭ，  ６５  ＣＰＵ，  ６６  近距離無線通信インターフェース，  ６７  非接触ＩＣデバイス，  ６８  発光部
【図１】
2006216025.tif 000003
【図２】
2006216025.tif 000004
【図３】
2006216025.tif 000005
【図４】
2006216025.tif 000006
【図５】
2006216025.tif 000007
【図６】
2006216025.tif 000008
【図７】
2006216025.tif 000009
【図８】
2006216025.tif 000010
【図９】
2006216025.tif 000011
【図１０】
2006216025.tif 000012
【図１１】
2006216025.tif 000013
【図１２】
2006216025.tif 000014
【図１３】
2006216025.tif 000015
【図１４】
2006216025.tif 000016
【図１５】
2006216025.tif 000017
【図１６】
2006216025.tif 000018
【図１７】
2006216025.tif 000019
【図１８】
2006216025.tif 000020
【図１９】
2006216025.tif 000021
【図２０】
2006216025.tif 000022
【図２１】
2006216025.tif 000023